【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】  撮影レンズの窓部を覆う閉位置と、撮影レンズの窓部から退避する開位置と、の間を移動するレンズバリアを備えた撮像装置において、
固定軸に回転可能に軸支されたピニオンと、
前記ピニオンに駆動力を伝達する駆動手段と、
前記ピニオンと噛み合うラックが設けられ、スライド動作する移動枠と、
前記レンズバリアが載置されたレンズバリア載置台と、
前記移動枠と前記レンズバリア載置台とを連結する連結手段と、
前記ラックによる前記移動枠のスライド動作を前記レンズバリア載置台を押上げる押上げ力に変換して、レンズバリアを前記窓部内へ移動させる移動手段と、
を有することを特徴とする撮像装置。
【請求項２】  前記連結手段が、前記移動枠に形成され移動枠のスライド方向に対して所定の角度を持つ案内溝と、前記レンズバリア載置台に設けられ前記案内溝に係合して案内溝内を移動する第１の支持部と、で構成され、
前記移動手段が、
前記レンズバリア載置台に設けられた第２の支持部と、
前記第２の支持部を案内すると共に、前記レンズバリアの前記開位置と前記閉位置との間に傾斜面を有し、レンズバリアが閉位置へ移動するにつれて第２の支持部を前記窓部前面側へ誘導するガイド部と、
で構成されたことを特徴とする請求項１に記載の撮像装置。
【請求項３】  レンズバリアが開位置にあることを検知してレンズバリア全開信号を出力する全開検出手段と、
撮影レンズが窓部の奥方に収まる沈胴位置にあることを検知して沈胴位置信号を出力する沈胴検知手段と、
前記窓部前面と前記レンズバリアとが面一となったことを検知してレンズバリアフラット信号を出力するフラット検出手段と、
撮像電源をオンさせると前記駆動手段を駆動させて、前記レンズバリアを開位置へ移動させ、前記全開検出手段から前記レンズバリア全開信号が入力されると駆動手段を駆動停止させると共に、撮像電源をオフさせると撮影レンズ用駆動手段を駆動させて、前記沈胴検出手段から前記沈胴位置信号が入力されると、前記駆動手段を駆動させ、レンズバリアを閉位置へ移動させて、前記フラット検出手段から前記レンズバリアフラット信号が入力されると駆動手段を駆動停止させる制御手段と、
を有することを特徴とする請求項１又は２に記載の撮像装置。
【請求項４】 沈胴式の撮影レンズと、前記撮影レンズが進退する窓部と、を備え、沈胴位置にある撮影レンズを保護する閉位置と、撮影レンズの移動軌跡上の位置から退避させた開位置と、の間を移動可能なレンズバリアを備えた撮像装置において、
前記レンズバリアは、前記閉位置と前記開位置の間を移動する移動枠に連結手段を介して従動すると共に、閉位置へ移動させられると、前記連結手段を介して、該レンズバリアの前面が前記窓部前面と面一となるように案内されることを特徴とする撮像装置。
【手続補正２】
【補正対象書類名】明細書
【補正対象項目名】０００７
【補正方法】変更
【補正の内容】
【０００７】
【課題を解決するための手段】
上記目的を達成するため、請求項１に記載の発明は、撮影レンズの窓部を覆う閉位置と、撮影レンズの窓部から退避する開位置と、の間を移動するレンズバリアを備えた撮像装置において、固定軸に回転可能に軸支されたピニオンと、前記ピニオンに駆動力を伝達する駆動手段と、前記ピニオンと噛み合うラックが設けられ、スライド動作する移動枠と、前記レンズバリアが載置されたレンズバリア載置台と、前記移動枠と前記レンズバリア載置台とを連結する連結手段と、前記ラックによる前記移動枠のスライド動作を前記レンズバリア載置台を押上げる押上げ力に変換して、レンズバリアを前記窓部内へ移動させる移動手段と、を有することを特徴とする。
請求項１に記載の発明では、レンズバリアが撮影レンズの窓部を覆う閉位置と、撮影レンズの窓部から退避する開位置と、の間を移動する。一方、固定軸には駆動手段によって駆動力が伝達されるピニオンが回転可能に軸支されている。このピニオンには移動枠に設けられたラックが噛み合っており、移動枠がスライド動作する。
【手続補正３】
【補正対象書類名】明細書
【補正対象項目名】００１１
【補正方法】変更
【補正の内容】
【００１１】
請求項２に記載の発明は、請求項１に記載の撮像装置において、前記連結手段が、前記移動枠に形成され移動枠のスライド方向に対して所定の角度を持つ案内溝と、前記レンズバリア載置台に設けられ前記案内溝に係合して案内溝内を移動する第１の支持部と、で構成され、前記移動手段が、前記レンズバリア載置台に設けられた第２の支持部と、前記第２の支持部を案内すると共に、前記レンズバリアの前記開位置と前記閉位置との間に傾斜面を有し、レンズバリアが閉位置へ移動するにつれて第２の支持部を前記窓部前面側へ誘導するガイド部と、で構成されたことを特徴とする。
請求項２に記載の発明では、移動枠には移動枠のスライド方向に対して所定の角度を持つ案内溝が形成されている。一方、レンズバリア載置台には第１の支持部が設けられており、案内溝に係合して案内溝内を移動する。
【手続補正４】
【補正対象書類名】明細書
【補正対象項目名】００１４
【補正方法】変更
【補正の内容】
【００１４】
請求項３に記載の発明は、請求項１又は２に記載の撮像装置において、レンズバリアが開位置にあることを検知してレンズバリア全開信号を出力する全開検出手段と、撮影レンズが窓部の奥方に収まる沈胴位置にあることを検知して沈胴位置信号を出力する沈胴検知手段と、前記窓部前面と前記レンズバリアとが面一となったことを検知してレンズバリアフラット信号を出力するフラット検出手段と、撮像電源をオンさせると前記駆動手段を駆動させて、前記レンズバリアを開位置へ移動させ、前記全開検出手段から前記レンズバリア全開信号が入力されると駆動手段を駆動停止させると共に、撮像電源をオフさせると撮影レンズ用駆動手段を駆動させて、前記沈胴検出手段から前記沈胴位置信号が入力されると、前記駆動手段を駆動させ、レンズバリアを閉位置へ移動させて、前記フラット検出手段から前記レンズバリアフラット信号が入力されると駆動手段を駆動停止させる制御手段と、を有することを特徴とする。
請求項３に記載の発明では、撮像電源がオンされると、駆動手段を駆動させ、レンズバリアを開位置へ移動させる。そして、全開検出手段によって、レンズバリアが開位置にあることが検知されると、レンズバリア全開信号が出力される。このレンズバリア全開信号が制御手段へ入力されると駆動手段が駆動停止する。
【手続補正５】
【補正対象書類名】明細書
【補正対象項目名】００１６
【補正方法】変更
【補正の内容】
【００１６】
そして、フラット検出手段によって、窓部前面とレンズバリアとが面一となったことが検知されると、レンズバリアフラット信号が出力され、駆動手段が駆動停止する。
このように、各種の検出手段を備えることによって、レンズバリアが開位置に移動するときに、撮影レンズのレンズ面を摺動したり、レンズバリアが閉位置であるにも拘らず、撮影レンズが突出することがないようにしている。
【手続補正６】
【補正対象書類名】明細書
【補正対象項目名】００１７
【補正方法】変更
【補正の内容】
【００１７】
請求項４に記載の発明は、沈胴式の撮影レンズと、前記撮影レンズが進退する窓部と、を備え、沈胴位置にある撮影レンズを保護する閉位置と、撮影レンズの移動軌跡上の位置から退避させた開位置と、の間を移動可能なレンズバリアを備えた撮像装置において、前記レンズバリアは、前記閉位置と前記開位置の間を移動する移動枠に連結手段を介して従動すると共に、閉位置へ移動させられると、前記連結手段を介して、該レンズバリアの前面が前記窓部前面と面一となるように案内されることを特徴とする。
請求項４に記載の発明では、、沈胴位置にある撮影レンズを保護する閉位置と、撮影レンズの移動軌跡上の位置から退避させた開位置と、の間を移動するレンズバリアが、閉位置へ移動した状態でレンズバリアの前面が窓部前面と面一となるようにすることで、レンズバリアの周縁には、窓部にゴミ又はホコリが溜まらないようにすることができる。このため、窓部に溜まったゴミ又はホコリがデジタルカメラの内部に入り、故障の原因となることはない。また、レンズバリアを窓部前面と面一にすると、デジタルカメラの筐体に印刷するデザインの幅が広がる。
【手続補正７】
【補正対象書類名】明細書
【補正対象項目名】００７６
【補正方法】変更
【補正の内容】
【００７６】
請求項３に記載の発明では、各種の検出手段を備えることによって、レンズバリアが開位置に移動するときに、撮影レンズのレンズ面を摺動したり、レンズバリアが閉位置であるにも拘らず、撮影レンズが突出することがないようにしている。
請求項４に記載の発明では、レンズバリアが閉位置へ移動した状態でレンズバリアの前面が窓部前面と面一となるようにすることで、レンズバリアの周縁には、窓部にゴミ又はホコリが溜まらないようにすることができる。このため、窓部に溜まったゴミ又はホコリがデジタルカメラの内部に入り、故障の原因となることはない。また、レンズバリアを窓部前面と面一にすると、デジタルカメラの筐体に印刷するデザインの幅が広がる。